(57)【特許請求の範囲】
【請求項１】
ＯＦＤＭ方式により生成され且つシンボル毎に異なるキャリアにパイロット信号が設定された受信信号を復調するＯＦＤＭ受信装置において、
前記受信信号に対してＦＦＴ窓の位置を制御してＦＦＴ窓を設定する窓設定手段と、
前記窓設定手段により設定されたＦＦＴ窓に基づいて前記受信信号に対してＦＦＴを実行するＦＦＴ手段と、
前記ＦＦＴ手段によるＦＦＴ結果に基づいて前記パイロット信号を検出するパイロット信号検出手段と、
前記窓設定手段により設定されたＦＦＴ窓の位置に基づいてシンボル毎の位相回転量に関する情報を検出する位相回転量情報検出手段と、
前記位相回転量情報検出手段により検出された情報に基づいて前記パイロット信号検出手段により検出されたパイロット信号を用いて行われるシンボル方向の内挿補間に関して位相回転量を補正する位相回転量補正手段と、
前記パイロット信号検出手段により検出されたパイロット信号に基づいて、前記位相回転量補正手段により位相回転量が補正された状態で、シンボル方向の内挿補間を行う時間内挿補間手段と、
前記時間内挿補間手段による内挿補間結果に基づいてキャリア方向の内挿補間を行う周波数内挿補間手段と、
前記周波数内挿補間手段による内挿補間結果に基づいて前記ＦＦＴ手段によるＦＦＴ結果について伝送路特性を補正する等化手段と、
前記等化手段による補正結果を復調する復調手段と、
を備え、
前記位相回転量補正手段は、前記位相回転量情報検出手段により検出された情報に基づいて、前記パイロット信号検出手段により検出されたパイロット信号の位相回転量及びシンボル方向の内挿補間が行われる対象となるシンボルの位相回転量を打ち消すようにシンボル毎に補正し、
当該ＯＦＤＭ受信装置は、前記時間内挿補間手段による内挿補間結果に対して前記打ち消した位相回転量をシンボル毎に付与する位相回転量付与手段を備え、
前記周波数内挿補間手段は、前記位相回転量付与手段による位相回転量付与結果に基づいてキャリア方向の内挿補間を行う、
ことを特徴とするＯＦＤＭ受信装置。
【請求項２】
請求項１に記載のＯＦＤＭ受信装置において、
前記窓設定手段は、ＦＦＴ窓の位置を制御する周期を設定することで、ＦＦＴ窓の位置が変化する回数を制限する、
ことを特徴とするＯＦＤＭ受信装置。
【発明の詳細な説明】
【技術分野】
【０００１】
本発明は、例えば、互いに直交する複数本の搬送波（キャリア）で情報符号を伝送する直交周波数分割多重変調（ＯＦＤＭ：Ｏｒｔｈｏｇｏｎａｌ  Ｆｒｅｑｕｅｎｃｙ  Ｄｉｖｉｓｉｏｎａｌ  Ｍｕｌｔｉｐｌｅｘｉｎｇ）方式を伝送方式として使用する伝送装置の復調処理に関し、特に、適応制御により発生するＦＦＴ窓の位置のずれを補償してシンボル方向の時間内挿を行うＯＦＤＭ受信装置に関する。
【背景技術】
【０００２】
例えば、移動体向けデジタル音声放送や、地上デジタルテレビジョン放送への応用に適した変調方式として、マルチパスフェージングやゴーストに強いという特徴を有する直交周波数分割多重変調（ＯＦＤＭ）方式が使用されている。
ＯＦＤＭ方式は、マルチキャリア変調方式の一種であり、互いに直交する複数であるｎ本（ｎは、例えば、数十〜数千）の搬送波にデジタル変調を施す伝送方式である。
ＯＦＤＭ方式は、その性質上、マルチパス環境や移動体伝送などのように、劣悪な環境下で使用されることが多い。マルチパス環境下においては、受信機では、送信機から直接的に伝搬してきた主波と、山や建物などに反射して遅延時間を伴って到来してきた反射波との合成波が受信される。また、移動体伝送では、主波と反射波の信号レベルが独立に変動するレイリーフェージングなども発生し、主波のレベルよりも反射波のレベルの方が大きくなるような場合も発生する。
【０００３】
このような反射波による受信性能劣化を軽減するための措置として、ガードインターバルが用いられる。
図５には、ＯＦＤＭ方式で使用される１つのシンボル（ＯＦＤＭシンボル）の波形の一例を示してある。
図示されるように、ＯＦＤＭシンボルは、有効データシンボルに、その一部を巡回的にガードインターバルとして付加して構成される。ガードインターバルの付加により、ガードインターバル内の遅延時間における反射波に対しては、シンボル間干渉による劣化を避けることができるため、マルチパスフェージングに対して強い耐性を有することが可能となる。
【０００４】
図１９には、ＯＦＤＭ方式による信号（ＯＦＤＭ信号）を受信する受信装置（ＯＦＤＭ受信装置）の構成例を示してある。なお、本例では、同期処理部や誤り訂正処理部などについては図示や説明を省略する。
本例のＯＦＤＭ受信装置では、受信信号がＡ／Ｄ（Ａｎａｌｏｇ  ｔｏ  Ｄｉｇｉｔａｌ）コンバータ２１、窓制御部２２、周波数シフト処理部２３、ＦＦＴ部２４、ＳＰ抽出部２５により処理される。そして、ＳＰ抽出部２５からの出力信号が時間内挿部２６、周波数外挿部２７、周波数内挿部２８により処理された結果に基づいて、ＳＰ抽出部２５からの出力信号が等化処理部２９により処理される。等化処理部２９からの出力信号が復調部３０により処理されて、受信信号が復調される。
【０００５】
Ａ／Ｄコンバータ２１は、受信信号をアナログ信号からデジタル信号へ変換することで、受信信号をサンプリングする。
窓制御部２２は、時間窓であるＦＦＴ窓を設定して、Ａ／Ｄコンバータ２１により受信信号をサンプリングした受信サンプリング系列から、有効シンボル長のサンプルを取り出して周波数シフト処理部２３へ出力する。
周波数シフト処理部２３は、窓制御部２２から入力されたサンプルを周波数シフトさせてＦＦＴ部２４へ出力する。
ＦＦＴ部２４は、周波数シフト処理部２３から入力されたサンプルについて、高速フーリエ変換（ＦＦＴ：Ｆａｓｔ  Ｆｏｕｒｉｅｒ  Ｔｒａｎｓｆｏｒｍ）を行い、時間軸信号から周波数軸信号（キャリア信号）へ変換する。
【０００６】
これに際して、窓制御部２２では、上記したようなシンボル間干渉が発生しないようなタイミングで受信サンプリング系列にＦＦＴ窓を設ける必要がある。
また、主波ばかりでなく反射波が混入すると、振幅変動や位相回転などが発生するため、例えば、１６ＱＡＭ（Ｑｕａｄｒａｔｕｒｅ  Ａｍｐｌｉｔｕｄｅ  Ｍｏｄｕｌａｔｉｏｎ）や３２ＱＡＭや６４ＱＡＭなどのように同期検波方式で復調する必要のある変調方式では、各キャリアに対して、振幅及び位相の補正を行う必要がある。
【０００７】
なお、一例として、窓制御部２２では例えば図１１に示されるように主波の有効シンボルにＦＦＴ窓を合わせて設定し或いは主波の有効シンボルより時間的にやや前側（ガードインターバル側）にＦＦＴ窓を設定し、そして、このＦＦＴ窓の位置をより良い位置へ移動させるために、周波数シフト処理部２３では例えば図１２に示される２つのベクトルが対称となるように（つまり、図１２に示されるグラフの横軸について−Ｋ／２が原点となるように）ＦＦＴ窓の位置を移動させる。
【０００８】
図６には、ＦＦＴ窓の位置が有効シンボルの位置と正確に一致した時における、ＯＦＤＭシンボルの波形とＦＦＴ窓の時間的なタイミングの一例を示してある。
図７には、このようにＦＦＴ窓が有効シンボルと一致している場合における位相回転の一例を模式的に示してある。図７のグラフでは、Ｉ成分とＱ成分とキャリア番号ｉの関係を示してある。この場合には、各キャリアの位相としては、全てのキャリアについて位相角が０度（°）となる。これは、全てのキャリアが、ＦＦＴ窓内で０度の位相角から始まり０度の位相角で終結するためである。
【０００９】
しかしながら、ＦＦＴ窓の位置が有効シンボルの位置からずれることがある。
図８には、ＦＦＴ窓の位置がＫ（Ｋは１以上の整数）サンプルだけ有効シンボルの位置から時間的に前にずれた場合における、ＯＦＤＭシンボルの波形とＦＦＴ窓の時間的なタイミングの一例を示してある。この場合、各キャリアに位相回転が発生する。
図９には、このようにＦＦＴ窓が有効シンボルからずれた場合における位相回転の一例を模式的に示してある。図９のグラフでは、Ｉ成分とＱ成分とキャリア番号ｉの関係を示してある。この場合、位相の回転量は例えばキャリア番号ｉに比例して増加するため、角周波数−２πＫで回転する信号となる。具体的には、例えばＮを有効シンボル長として、位相角φ（ｉ）＝ｅｊ｛２π（−Ｋ）ｉ／Ｎ｝と表される。
図１０には、このような位相回転のスペクトラムの一例を示してある。本例では、−Ｋサンプルに位置するインパルス性の波形となっている。
【００１０】
図１１には、遅延時間がＫサンプルである反射波が主波に混入した時におけるＦＦＴ窓の一例を示してある。
本例のようにＦＦＴ窓を主波に同期させて設けたとすると、主波の位相回転は図７に示されるものと等価とみなすことができ、反射波の位相回転は図９に示されるものと等価とみなすことができる。これに関しては、線形演算が可能であるため、位相回転は図７に示される位相回転量と図９に示される位相回転量を加算した結果と一致し、また、その時のスペクトラムも、主波のスペクトラムと反射波のスペクトラムを線形加算した波形となる。
図１２には、このように主波と反射波を線形加算したスペクトラムの波形の一例を示してある。
【００１１】
上述のように、このような位相回転は、伝送系で発生する反射波などの影響を受けて、時間毎或いはキャリア毎に変化する。例えば、６４ＱＡＭなどで変調された信号を復調する場合には、伝送路で生じた振幅変動や位相回転を補正する必要があるため、数キャリア間隔毎に振幅と位相の基準キャリアであるパイロットキャリアを設けることが一般的に行われている。
図１３には、パイロットキャリアの配置の一例を示してある。本例では、数キャリア間隔毎に設けられたパイロットキャリアを振幅や位相の基準として使用するとともに、その間のキャリアをデータキャリアとしてデータ伝送に使用している。
【００１２】
本例のＯＦＤＭ受信装置では、等化処理部２９で伝送路により生じる歪（振幅の歪や位相の歪）を補正するために、受信した複数のパイロットキャリアから伝送路特性を推定する。具体的には、ＳＰ抽出部２５によりパイロットキャリアを取得し、時間内挿部２６により受信パイロットキャリアに対してシンボル方向に内挿補間処理を行い、周波数外挿部２７により周波数外挿処理を行い、周波数内挿部２８により受信パイロットキャリアに対してキャリア方向に内挿補間処理を行い、これにより、パイロットキャリアが配置されていないデータキャリア部分の振幅特性及び位相特性を推定する。
等化処理部２９では、データキャリアと、パイロットキャリアの内挿補間処理により算出された伝送路特性とを複素除算することにより、データキャリアについて振幅と位相を補正する。
【００１３】
ここで、上記のような内挿補間処理について詳細に説明する。
図１２を参照して説明されるように、反射波の遅延時間が長くなると、位相角のスペクトラムも遅延時間に比例して広がっていく。本例のようなＯＦＤＭ方式では、ガードインターバル期間Ｔｇまでに収まる遅延時間の反射波に対しては、シンボル間干渉が発生しないため、ガードインターバル期間Ｔｇ以内の反射波については精度の良い内挿補間を行う必要がある。
図１４には、反射波の遅延時間がガードインターバル期間Ｔｇまで及ぶ時における位相角のスペクトラム分布の一例を示してある。本例では、位相角のスペクトラム分布（斜線部分）が−Ｔｇ〜０に広がっており、Ｔｇの帯域幅を有している。
ここで、位相角スペクトラムがＴｇの帯域幅を有するような反射波を正しく内挿補間処理するためには、サンプリング定理により、パイロットキャリア間隔を少なくとも（式１）の間隔で配置する必要がある。
【００１４】
【数１】
0004463738.tif 000002
【００１５】
パイロットキャリアとしては、ＣＰ（Ｃｏｎｔｉｎｕａｌ  Ｐｉｌｏｔ）と、ＳＰ（Ｓｃａｔｔｅｒｅｄ  Ｐｉｌｏｔ）が良く知られている。
図１５（ａ）には、ＣＰについて、データキャリア（白丸）とパイロットキャリア（黒丸）の配置の一例を示してある。ＣＰは、（式１）を満足するパイロットキャリア間隔で配置される。本例では、キャリア番号が０、４、８、１２、・・・といった等間隔の位置に、全てのシンボル番号において、パイロットキャリアが配置されている。
図１５（ｂ）には、ＳＰについて、データキャリア（白丸）とパイロットキャリア（黒丸）の配置の一例を示してある。ＳＰでは、シンボル毎にパイロットキャリアの位置が異なる。本例では、キャリア番号が０、４、８、１２、・・・といった等間隔の位置であって、それぞれのキャリア番号について異なるシンボル番号において、パイロットキャリアが配置されている。パイロットキャリアが配置される１つのキャリア番号（例えば、キャリア番号０、など）に着目すると、例えば、シンボル番号の方向で等間隔に（つまり、時間的に周期的に）パイロットキャリアが配置される。
【００１６】
ＳＰを用いた場合にシンボル方向に時間内挿を行うと、ＣＰを用いた場合と同様な効果が近似的に得られる。
図１６（ａ）、（ｂ）には、ＳＰの時間内挿処理の一例を示してある。
図１６（ａ）には、時間内挿処理の対象となるＳＰの受信状態を示してある。この状態では、送信側で配置された通りに、データキャリア（白丸）とパイロットキャリア（黒丸）が並んでいる。
図１６（ｂ）には、このＳＰに対して時間内挿処理を行った結果を示してある。具体的には、受信パイロットキャリア（黒丸）をシンボル方向に内挿補間処理することで、パイロットキャリアが配置される各キャリア番号０、４、８、１２、・・・について、パイロットキャリア間のデータキャリア（縞模様の丸）の位置についても伝送路特性を推定することができ、（式１）を近似的に満足することができる。
【００１７】
一例として、有効シンボル長が１０２４［サンプル］、ガードインターバル長が１２８［サンプル］であるＯＦＤＭ信号では、ＣＰの場合には、シンボル内に１０２４［サンプル］／１２８［サンプル］＝８［キャリア］の間隔毎にパイロットキャリアを設ける必要があるが、ＳＰの場合には、時間内挿処理後に８［キャリア］の間隔を満足すればよいことになる。
【００１８】
周波数内挿部２８は、図１４に示されるようなスペクトラム分布を有する反射波に対して、キャリア方向で周波数内挿補間処理を行う。
一般に、図１４に示されるような周波数分布（斜線の範囲）を有する信号の周波数内挿演算を実施するためには、この周波数分布範囲（斜線枠の周波数範囲）を通過領域内に有するフィルタが用いられる。
図１７（ａ）、（ｂ）を参照して、これについて説明する。
図１７（ａ）には、図１４に示されるのと同様な周波数分布の一例を示してある。
通常は、回路の論理規模を削減するために、図１７（ｂ）に示される周波数内挿フィルタの帯域Ａのように、正と負の周波数特性が対称となるようなデジタルの低域通過フィルタ（ＬＰＦ：Ｌｏｗ  Ｐａｓｓ  Ｆｉｌｔｅｒ）を周波数内挿部２８に備えて、位相角のスペクトラムに対して変調を施すことにより周波数内挿による補間を行う手法が用いられる。
【００１９】
この場合、周波数シフト処理部２３では、例えば、図１７（ａ）に示されるような周波数分布（斜線部分）が図１７（ｂ）に示されるような周波数分布（斜線部分）へ移動するように、周波数シフトを行う。これにより、移動後の周波数分布（図１７（ｂ）の斜線部分）が、周波数内挿部２８を構成する周波数内挿フィルタの帯域（周波数特性）Ａ内に収められる。
なお、一般に、反射波の帯域（斜線部分）が小さいほど、周波数内挿フィルタの帯域幅を小さくすることができ、雑音を小さくすることができる。
ここで、位相角スペクトラムの変調すなわち周波数シフトを行う方式としては、種々な方式が用いられてもよく、例えば、マルチパスの検出結果を用いてＦＦＴ部２４に入力する受信サンプリング系列に対して変調演算を行う方式や、或いは、受信サンプリング系列の一部を巡回的に並び替える方式などを用いることができる。
また、周波数内挿フィルタとしては、例えば、ＦＩＲフィルタを用いることができる。
【００２０】
このように、パイロットキャリアに基づいて時間内挿部２６及び周波数内挿部２８により振幅及び位相に関する伝送路特性を推定し、当該推定結果に基づいて等化処理部２９により受信データキャリア信号に対して伝送路特性について振幅や位相を補正する。
そして、受信データキャリア信号は、等化処理後に、復調部３０により復調処理されて、情報符号として出力される。
【００２１】
また、周波数外挿部２７による周波数外挿処理について説明する。
例えば、データキャリアが存在しない無効シンボル期間が存在する系では、無効シンボル期間のパイロットキャリアを有効シンボル期間のパイロットキャリアから推定する外挿補間の処理を行う。
本例では、ＯＦＤＭ方式による受信信号の帯域幅と比べてＦＦＴ部２４により行われるＦＦＴにおける帯域幅の方が大きいため、ＦＦＴの結果に対して、有効な受信信号が存在する帯域内の左右の外側である帯域外について、周波数内挿フィルタを通す前に補間しておくことが必要となる。一例として、ＦＦＴの点数は２のべき乗であって例えば８１９２本である一方、ＯＦＤＭ方式を使用する地上デジタル放送の点数は５６１６本であり、この５６１６本の左右の帯域外にもＦＦＴの結果が存在するため、この帯域外について周波数外挿により補間を行う。
【００２２】
図１８（ａ）には、周波数外挿処理が行われる前におけるキャリア状態の一例を示してある。ＯＦＤＭ伝送の帯域内（実際にキャリアを送っている範囲）には、データキャリア（白丸）や、パイロットキャリア（黒丸）や、時間内挿部２６により時間内挿されたキャリア（縞模様の丸）が存在し、また、ＯＦＤＭ伝送の帯域外（実際にはキャリアを送っていない範囲）には、無効キャリア（点線の円）が存在する。
図１８（ｂ）には、ＯＦＤＭ伝送の帯域内に存在するパイロットキャリア（黒丸）や時間内挿推定キャリア（縞模様の丸）に基づいて周波数外挿処理を行った結果の一例を示してある。周波数外挿の対象となった無効キャリア（点線の丸）が、周波数外挿処理により伝送路特性が推定されたキャリア（網模様の丸）になっている。なお、本例では、１次外挿を用いている。
【００２３】
【特許文献１】特開２００３−２２９８３１号公報
【発明の開示】
【発明が解決しようとする課題】
【００２４】
上記のようなＯＦＤＭ受信装置では、ＦＦＴ窓の位置をシンボル間干渉が発生しない位置に適応的に制御し、且つ、周波数内挿補間処理のために位相角スペクトラムの周波数をシフトする方式が用いられてきた。
例えば、劣悪なマルチパス環境下においては、主波よりも先行する波が存在する場合もあり、また、長い遅延時間を伴った遅延波が存在する場合もある。このような環境下において、ＦＦＴ窓の位置を適応制御して、ガードインターバル期間内の反射波によるシンボル間干渉を避け、位相角スペクトラムの周波数をシフトすることにより、伝送路を推定することができるＯＦＤＭ方式の特徴を効果的に利用することが可能となる。
【００２５】
しかしながら、上記のようなＯＦＤＭ受信装置では、ＦＦＴ窓の位置を適応的に制御することにより、受信信号に対するＦＦＴ窓の位置がシンボル毎にずれてしまうため、シンボル間で位相角の回転量が変化して異なってしまう。このため、例えばシンボル毎に周波数内挿補間処理が完結するＣＰを用いた場合には特に問題は無いが、シンボル方向での時間内挿処理が必要なＳＰを用いた場合には、シンボル間に発生する位相回転量の変化により時間内挿処理が正常に行われない乃至は時間内挿処理の精度が劣化してしまうといった不具合があった。
【００２６】
具体的には、反射波が混入する伝送路では、反射波の影響により各キャリアの位相角に回転が発生する。また、ガードインターバル期間内の反射波を精度良く等化するためには、位相角のスペクトラムを周波数内挿フィルタの通過帯域内に位置させる必要がある。しかしながら、パイロットキャリアがＳＰである場合には、時間方向の内挿処理が必要になるところ、位相角のスペクトラムを周波数内挿フィルタの通過帯域内に収めるように制御すると位相角の回転量がシンボル毎に変化してしまうため、正常な時間内挿処理が困難となってしまう。
【００２７】
本発明は、このような従来の課題を解決するために為されたもので、適応制御により発生するＦＦＴ窓の位置のずれを補償してシンボル間の時間内挿を行うことにより、時間内挿の精度を向上させることができるＯＦＤＭ受信装置を提供することを目的とする。
【課題を解決するための手段】
【００２８】
上記目的を達成するため、本発明に係るＯＦＤＭ受信装置では、次のような構成により、ＯＦＤＭ方式により生成され且つシンボル毎に異なるキャリアにパイロット信号が設定された受信信号を復調する。
すなわち、窓設定手段が、前記受信信号に対して、ＦＦＴ窓の位置を制御して、ＦＦＴ窓を設定する。ＦＦＴ手段が、前記窓設定手段により設定されたＦＦＴ窓に基づいて、前記受信信号に対してＦＦＴを実行する。パイロット信号検出手段が、前記ＦＦＴ手段によるＦＦＴ結果に基づいて、前記パイロット信号を検出する。位相回転量情報検出手段が、前記窓設定手段により設定されたＦＦＴ窓の位置に基づいて、シンボル毎の位相回転量に関する情報を検出する。位相回転量補正手段が、前記位相回転量情報検出手段により検出された情報に基づいて、前記パイロット信号検出手段により検出されたパイロット信号を用いて行われるシンボル方向の内挿補間に関して、位相回転量を補正する。時間内挿補間手段が、前記パイロット信号検出手段により検出されたパイロット信号に基づいて、前記位相回転量補正手段により位相回転量が補正された状態で、シンボル方向の内挿補間を行う。周波数内挿補間手段が、前記時間内挿補間手段による内挿補間結果に基づいて、キャリア方向の内挿補間を行う。等化手段が、前記周波数内挿補間手段による内挿補間結果に基づいて、前記ＦＦＴ手段によるＦＦＴ結果について伝送路特性を補正する。復調手段が、前記等化手段による補正結果を復調する。
従って、ＦＦＴ窓の位置を適応制御することにより発生するＦＦＴ窓の位置のずれに起因するシンボル毎の位相回転量を補償して、シンボル間の内挿補間（時間内挿補間）が行われることにより、時間内挿補間の精度を向上させることができ、復調の精度を向上させることができる。
【００２９】
ここで、シンボル毎に異なるキャリアにパイロット信号を設定する態様としては、種々な態様が用いられてもよく、例えば、ＳＰを用いることができる。このようなパイロット信号の配置では、１つのキャリアを見ると、所定の時間間隔（所定のシンボル間隔）毎にパイロット信号が設定され、隣り合うパイロット信号の間に位置するシンボルについて当該隣り合うパイロット信号を用いて内挿補間することができる。
また、パイロット信号としては、種々な信号が用いられてもよく、例えば、振幅や位相の基準となる信号が用いられる。また、例えば、送信側と受信側とで、パイロット信号の振幅や位相、パイロット信号の配置が共通に設定されて把握される。
【００３０】
また、ＦＦＴ窓の位置を制御してＦＦＴ窓を設定する態様としては、例えば、シンボル間干渉を回避するようにＦＦＴ窓の位置を制御して設定するような態様が用いられる。
また、ＦＦＴ窓の位置を変化させることは、例えば、各シンボル毎に行われてもよく、或いは、所定の周期毎（所定のシンボル数毎）に行われてもよい。
また、ＦＦＴ窓の位置に基づいてシンボル毎の位相回転量に関する情報を検出する手法としては、種々な手法が用いられてもよい。
また、位相回転量に関する情報は、例えば、各シンボル毎に検出されてもよく、或いは、所定の周期毎（所定のシンボル数毎）に検出されてもよく、或いは、予め定められた所定のシンボルについて検出されてもよい。
また、位相回転量に関する情報としては、例えば、各シンボルについて絶対的な位相回転量の値が検出されてもよく、或いは、シンボル間の位相回転量の相対的な差の値が検出されてもよく、要は、シンボル間の位相回転量を補償することが可能な情報であればよい。
【００３１】
また、シンボル方向の内挿補間に関して位相回転量を補正する態様としては、種々な態様が用いられてもよい。シンボル方向の内挿補間が行われる際にシンボル間の位相回転量の差が補償されることで、シンボル方向の内挿補間の精度が向上する。
また、シンボル方向の内挿補間では、例えば、内挿補間に関するシンボルの位相回転量が補正されればよく、具体的には、内挿補間の対象となるシンボルや、内挿補間に用いられる２つ（或いは、３つ以上でもよい）のパイロット信号のシンボルについて位相回転量が補正されればよい。
また、キャリア方向の内挿補間（周波数内挿補間）を行う態様としては、種々な態様が用いられてもよい。
また、パイロット信号に基づくシンボル方向の内挿補間やキャリア方向の内挿補間により、振幅や位相に関する伝送路特性が（推定的に）検出され、この検出結果に基づいて受信信号について伝送路特性が補正される。
【００３２】
本発明に係るＯＦＤＭ受信装置では、一構成例として、次のような構成とした。なお、本構成は、一例として、（式５）に表されるような処理を行う。
すなわち、前記位相回転量補正手段は、前記位相回転量情報検出手段により検出された情報に基づいて、前記パイロット信号検出手段により検出されたパイロット信号の位相回転量及びシンボル方向の内挿補間が行われる対象となるシンボルの位相回転量を打ち消すように、シンボル毎に、補正する。
また、位相回転量付与手段が、前記時間内挿補間手段による内挿補間結果に対して、前記打ち消した位相回転量をシンボル毎に付与する。
また、前記周波数内挿補間手段は、前記位相回転量付与手段による位相回転量付与結果に基づいて、キャリア方向の内挿補間を行う。
従って、シンボル方向の内挿補間に関する各シンボルの位相回転量が打ち消されることで、シンボル方向の内挿補間が行われるに際して、シンボル間の位相回転量の差を打ち消すことができる。また、打ち消された位相回転量が各シンボルに再び付与されて、キャリア方向の内挿補間が行われることにより、等化処理に際して、位相回転量を有したままの受信信号との間で位相回転量を一致させることができる。
【００３３】
本発明に係るＯＦＤＭ受信装置では、一構成例として、次のような構成とした。なお、本構成は、一例として、（式６）に表されるような処理を行う。
すなわち、前記位相回転量補正手段は、前記パイロット信号検出手段により検出されたパイロット信号の位相回転量を、当該パイロット信号を用いてシンボル方向の内挿補間が行われる対象となるシンボルの位相回転量に一致させるように補正する。
従って、シンボル方向の内挿補間に用いられるパイロット信号の位相回転量とその対象となるシンボルの位相回転量とが一致させられることにより、シンボル方向の内挿補間が行われるに際して、シンボル間の位相回転量の差を打ち消すことができる。
【発明の効果】
【００３４】
以上説明したように、本発明に係るＯＦＤＭ受信装置によると、例えばＳＰのようなパイロット信号を含むＯＦＤＭ方式による受信信号について、ＦＦＴ窓の位置の制御により発生するシンボル毎の位相回転量を検出し、当該検出結果に基づいて位相回転量を補正した状態で、シンボル方向の内挿補間を行うようにしたため、シンボル方向の内挿補間（時間内挿補間）の精度を向上させることができ、通信品質を向上させることができる。
【発明を実施するための最良の形態】
【００３５】
本発明に係る実施例を図面を参照して説明する。
【実施例１】
【００３６】
本発明の第１実施例を説明する。
図１には、本発明の一実施例に係るＯＦＤＭ受信装置の構成例を示してある。本例のＯＦＤＭ受信装置は、移動体伝送システムにおいてＯＦＤＭ方式を使用してデータを送信及び受信するデジタル伝送装置に設けられており、受信機としての機能を有して、送信側の装置から無線により送信されたＯＦＤＭ方式による信号を受信して処理する。なお、本例のデジタル伝送装置は、送信機としての機能を有してＯＦＤＭ方式による信号を生成して無線により送信するＯＦＤＭ送信装置も有しているが、本例では詳しい説明は省略する。
【００３７】
本例のＯＦＤＭ受信装置は、Ａ／Ｄコンバータ１と、窓制御部２と、周波数シフト処理部３と、ＦＦＴ部４と、ＳＰ抽出部５と、基準タイミング発生部６と、位相回転量検出部７と、位相回転量補正部８と、時間内挿部９と、周波数外挿部１０と、位相回転量制御部１１と、周波数内挿部１２と、等化処理部１３と、復調部１４を備えている。
ここで、本例のＯＦＤＭ受信装置は、ＦＦＴ窓の位置の適応制御により発生するＦＦＴ窓の位置のずれを補償してシンボル間の時間内挿を行うための構成や動作に特に特徴があり、他の構成や動作については例えば図１９に示されるＯＦＤＭ受信装置の場合と同様である。このため、本例では、このような本例のＯＦＤＭ受信装置に特徴的な構成や動作について詳しく説明し、図１９に示されるＯＦＤＭ受信装置の場合と同様な構成や動作については説明を簡略化乃至省略する。
【００３８】
ＯＦＤＭ受信装置では、送信側から無線送信されたＯＦＤＭ方式による信号を受信し、この受信信号がＡ／Ｄコンバータ１に入力される。この受信信号は、例えば図５に示されるようなものであり、本例では、図１５（ｂ）に示されるようなＳＰのパイロットキャリアが送信側で設けられている。
Ａ／Ｄコンバータ１は、入力される受信信号をＡ／Ｄ変換して窓制御部２へ出力する。
窓制御部２は、入力される受信サンプリング系列からマルチパスなどの伝送路環境を観測してＦＦＴ窓の位置を制御する回路であり、ＦＦＴ窓により抽出した有効シンボル長のサンプルを周波数シフト処理部３へ出力する。
【００３９】
ここで、移動体伝送における伝送路環境は時々刻々と変化し、主波と反射波の時間的な位置やそれらのレベルが変化する。
このため、窓制御部２は、主波と反射波の時間的な位置やそれらのレベルをシンボル毎に或いは数十から数百シンボル毎に逐次検出し、その結果に基づいてＦＦＴ窓を設ける。遅延時間がガードインターバル内である反射波が存在する伝送路環境では、シンボル間干渉が発生しないようにＦＦＴ窓の位置を設定する必要があるため、窓制御部２は、適応制御により、シンボル間干渉が発生しないように、例えば図１１に示されるようなＦＦＴ窓を設ける。
しかしながら、このとき、実際には、検出誤差やＦＦＴ窓位置の適応制御により、ＦＦＴ窓の位置がシンボル毎にずれて、位相角の回転量が変化する。このため、時間内挿部９によりシンボル方向の時間内挿処理を行う前に、各シンボルの位相回転量を等しくすることが望まれ、本例では、これを実現する。
【００４０】
周波数シフト処理部３は、窓制御部３から入力されるサンプルをシフトさせてＦＦＴ部４及び位相回転量検出部７へ出力する。
ＦＦＴ部４は、周波数シフト処理部４から入力されるサンプルに対して高速フーリエ変換（ＦＦＴ）の処理を行い、その処理結果をＳＰ抽出部５へ出力する。
ＳＰ抽出部５は、ＦＦＴ部４から入力されるＦＦＴの処理結果の信号からＳＰを抽出し、抽出したＳＰを位相回転量補正部８へ出力し、また、ＦＦＴ部４から入力されるＦＦＴの処理結果の信号を等化処理部１３へ出力する。
【００４１】
基準タイミング発生器６は、所定の周波数の信号を基準タイミング信号として生成して位相回転量検出部７へ出力する。基準タイミング信号としては、例えば、受信同期クロックを生成する内部のＶＣＸＯ（電圧制御水晶発振器）或いは外部のルビジウム発振器などから入力される同期信号に基づいてシンボル周期で生成されるシンボルに同期したパルス信号や、又は、シンボル周期のｍ倍（ｍは自然数）の周期を有するパルス信号などを用いることができる。
【００４２】
図２には、或るシンボルにおける、主波及び反射波と、ＦＦＴ窓の位置と、基準タイミング信号の関係の一例を示してある。
この例では、主波に対して反射波がＢサンプル分だけ遅れており、主波の有効シンボルの先頭（開始位置）に対して基準タイミング信号の立ち上がり位置がα（単位は、例えば時間或いはサンプル数）だけ遅れており、ＦＦＴ窓の先頭（開始位置）に対して基準タイミング信号の立ち上がり位置がｄｓ（単位は、例えば時間或いはサンプル数）だけ遅れている。
なお、本例では、主波の有効シンボルの先頭と基準タイミング信号との間の固定遅延量αは、時間内挿の対象となる期間においては変動量が無視できるほど少ないとみなす。つまり、この期間においては、この固定遅延量αは一定であるとみなす。
【００４３】
位相回転量検出部７は、ＦＦＴ窓の開始位置と基準タイミング信号との間の時間差ｄｓを求める。図８及び図９に示されるように、この時間差ｄｓの変化がＦＦＴ窓の位置のずれ（図８及び図９におけるＫのずれ）となることから、この時間差ｄｓの変化に基づいて位相回転量の変化を求めることができる。位相回転量検出部７は、例えばシンボル毎に検出した位相回転量の情報を位相回転量補正部８へ出力する。
【００４４】
位相回転量補正部８は、位相回転量検出部７から入力される位相回転量の検出結果に基づいて、ＳＰ抽出部５から入力されるＳＰに対して位相回転量を補正し、当該補正結果を時間内挿部９へ出力する。
この補正処理について具体的に説明する。
図３には、時間内挿部９によりシンボル方向に時間内挿処理する対象となるＳＰの一例を示してある。
この例では、図の縦方向にシンボル番号Ｓの順にシンボルが並んでおり、図の横方向にキャリア番号Ｃの順にシンボルが並んでいる。また、シンボル番号Ｓ及びキャリア番号Ｃにより位置が特定されるＳＰをＳＰ（Ｓ、Ｃ）と表す。また、時間内挿処理として、１次補間処理を用いる場合を示す。
図３の例では、データキャリア（白丸）や、パイロットキャリア（黒丸）や、時間内挿により伝送路特性が推定されたキャリア（縞模様の丸）が並んでいる。
【００４５】
例えば、実際には配置されていないシンボル番号０及びキャリア番号４の位置のパイロット信号ＳＰ（０、４）は、１次補間処理により、前方のシンボルのパイロット信号ＳＰ（−２、４）と後方のシンボルのパイロット信号ＳＰ（１、４）から、概略的には（式２）のように推定することができる。ここでは、位相回転量を無視している。
【００４６】
【数２】
0004463738.tif 000003
【００４７】
しかしながら、シンボル方向の各シンボルで異なる位相回転量を有している場合には、正確には（式２）は成り立たず、正しい結果を推定することができない。ここで、シンボル番号Ｓ及びキャリア番号Ｃにより特定される位置にあるシンボルの位相回転量をθ（Ｓ、Ｃ）と表す。このとき、（式２）は正確には（式３）のようになる。
【００４８】
【数３】
0004463738.tif 000004
【００４９】
このような位相回転量θ（Ｓ、Ｃ）を補正することを位相回転量補正部８により行う。
この位相回転量θ（Ｓ、Ｃ）は、位相回転量検出部７により検出される時間差ｄｓから一例として（式４）のように表すことが可能である。位相回転量検出部７は、このような位相回転量θ（Ｓ、Ｃ）に関する情報を位相回転量補正部８へ出力する。なお、有効シンボル長（単位は、例えば時間或いはサンプル数）は、位相回転量検出部７（或いは、位相回転量補正部８など）に予め設定されている。
【００５０】
【数４】
0004463738.tif 000005
【００５１】
本例では、位相回転量補正部８は、（式４）により表される位相回転量θ（Ｓ、Ｃ）を補正するための係数（逆の位相回転量）を対応する位置のシンボルに与えることで、位相回転量を補正する。
この補正を行うことにより、時間内挿部９における演算は（式５）のように表される。（式５）の例では、位相回転量補正部８により、ＳＰ（０、４）にはｅ−ｊθ（０、４）という補正係数（逆の位相回転量）を与えており、ＳＰ（−２、４）にはｅ−ｊθ（−２、４）という補正係数（逆の位相回転量）を与えており、ＳＰ（１、４）にはｅ−ｊθ（１、４）という補正係数（逆の位相回転量）を与えている。
【００５２】
【数５】
0004463738.tif 000006
【００５３】
本例の位相回転量の補正処理では、各パイロット信号に対して、各パイロット信号が有する位相回転量θ（Ｓ、Ｃ）と逆の位相回転量を与えることにより、位相角に生じている回転を止めている。これは、例えば、図７に示されるように各パイロット信号が有する位相角φを図７に示されるようにゼロ（０）の状態へ補正していることになる。
時間内挿部９は、位相回転量補正部８により位相回転量が補正されたＳＰを用いてシンボル方向に時間内挿を行うことで、ＳＰが設けられた各キャリアについて、ＳＰとＳＰとの間のシンボルの振幅や位相に関する伝送路特性を推定する。時間内挿部９は、入力されたＳＰ及びこれに基づいて伝送路特性を推定した結果の情報を周波数外挿部１０へ出力する。
【００５４】
周波数外挿部１０は、時間内挿部９から入力される信号について周波数外挿処理を行い、その結果を位相回転量制御部１１へ出力する。ここで、周波数外挿処理としては、例えば、１次関数で補間する１次補間処理や、或いは、最も近い位置などの値をそのまま使用する０次ホールド処理などを用いることができる。
本例のようなシンボル間の位相回転量の補正を行うと、例えば図７に示されるような位相回転の無い時間内挿補間信号が得られるため、周波数外挿補間処理が容易となり高精度に行われる利点がある。また、一例として、位相回転の無いパイロット信号を用いて時間内挿補間を行った後に、０次ホールドによる周波数外挿補間を行って帯域外の伝送路特性を推定する構成とすると、周波数外挿処理を簡易化することができる。
【００５５】
位相回転量制御部１１は、周波数外挿部１０から入力される周波数外挿処理結果に対して、位相回転量補正部８により補正された位相回転量を再び与えて、周波数内挿部１２へ出力する。これは、等化処理部１３において受信データキャリア信号に対して伝送路特性の補正を行うためであり、つまり、推定した伝送路特性に対して再度元の位相回転量を与えることにより、受信データキャリア信号が有する位相回転量と等しい回転へ戻すことが必要であるためである。
【００５６】
ここで、位相回転量制御部１１には、位相回転量検出部７により検出された位相回転量の情報が、例えば、位相回転量検出部７から直接的に、或いは、位相回転量補正部８や時間内挿部９や周波数外挿部１０を介して、入力される。
なお、本例では、好ましい構成例として、位相回転量制御部１１の前段に周波数外挿部１０を設けたが、他の構成例として、位相回転量制御部１１の後段に周波数外挿部１０を設けることも可能であり、この場合、周波数外挿部１０では例えば図９に示されるような位相回転を考慮した周波数外挿処理を行う。
【００５７】
周波数内挿部１２は、位相回転量制御部１１から入力される信号に対してキャリア方向に周波数内挿処理を行うことで、キャリア方向にあるＳＰとＳＰとの間のシンボルの振幅や位相に関する伝送路特性を推定し、この推定結果の情報を等化処理部１３へ出力する。
等化処理部１３は、周波数内挿部１２から入力される伝送路特性の推定結果に基づいて、ＳＰ抽出部５から入力される受信データキャリア信号に対して伝送路特性の補正を行い、その結果を復調部１４へ出力する。
復調部１４は、等化処理部１３から入力される信号を復調して、受信信号の復調結果を取得する。この復調結果は、例えば、メモリから成る記憶部に記憶される、或いは、制御部により処理されるなど、必要な処理が為される。
【００５８】
以上のように、本例のＯＦＤＭ受信装置では、ＯＦＤＭ方式で変調され且つシンボル毎に異なるキャリア位置にパイロットキャリア（ＳＰ）が配置されたＯＦＤＭ信号を受信して処理するに際して、ＦＦＴ窓の位置を制御することによってシンボル毎に異なる位相回転量を有し得る受信サンプリング系列について、位相角の回転の補正を行った後に、パイロットキャリアが配置されていない位置のシンボルを、抽出した前後のシンボルのパイロットキャリアを用いて、シンボル方向に内挿補間する。
【００５９】
また、本例のＯＦＤＭ受信装置では、位相回転量の補正の方式として、受信サンプリング系列が有する位相回転量をシンボル毎に求め、それぞれのパイロット信号に対して求めた位相回転量の逆回転を与えて、それぞれのパイロット信号が有する位相角の回転を止めることにより、位相回転の無いパイロット信号を用いて内挿補間を行う。
また、本例のＯＦＤＭ受信装置では、位相回転量の変化が、伝送路特性に基づいて時間的なＦＦＴ窓を設ける際にＦＦＴ窓の開始位置を制御することによってのみ生じるとみなして、ＦＦＴ窓の開始位置に基づいて（本例では、図２に示されるｄｓに基づいて）位相角回転の補正量を算出する。
また、本例のＯＦＤＭ受信装置では、等化処理前に、推定伝送路特性に対してデータキャリアが有する位相回転を再度与えることで、データキャリアと推定伝送路特性との位相回転を一致させる。
【００６０】
このように、本例のＯＦＤＭ受信装置では、主波と反射波とのシンボル間干渉を回避するためにＦＦＴ窓の位置を適応制御するが、これによりシンボル間で位相回転量が変化してしまうことに対して、このような位相回転量を算出し、時間内挿処理を行う前に、パイロット信号に対して算出した位相回転量を補正するための逆の回転を与えることで、時間内挿処理時におけるパイロット信号の位相回転量が常に一定となるようにすることができる。これにより、例えば、ＳＰを使用して、遅延波が混入するような伝送路環境であっても、時間内挿処理を精度良く乃至正常に行うことができる。
【００６１】
なお、本例のＯＦＤＭ受信装置では、窓制御部２の機能や周波数シフト処理部３の機能により窓設定手段が構成されており、ＦＦＴ部４の機能によりＦＦＴ手段が構成されており、ＳＰ抽出部５の機能によりパイロット信号検出手段が構成されており、基準タイミング発生器６の機能や位相回転量検出部７の機能により位相回転量情報検出手段が構成されており、位相回転量補正部８の機能により位相回転量補正手段が構成されており、時間内挿部９の機能により時間内挿補間手段が構成されており、周波数内挿を行うための前段における周波数外挿部１０の機能や周波数内挿部１２の機能により周波数内挿補間手段が構成されており、等化処理部１３の機能により等化手段が構成されており、復調部１４の機能により復調手段が構成されている。また、本例のＯＦＤＭ受信装置では、位相回転量制御部１１の機能により位相回転量付与手段が構成されている。
【実施例２】
【００６２】
本発明の第２実施例を説明する。
図４には、本発明の一実施例に係るＯＦＤＭ受信装置の構成例を示してある。
本例のＯＦＤＭ受信装置の構成や動作は、例えば、位相回転量補正部８による位相回転量の補正処理が異なる点や、図１に示されるような位相回転量制御部１１を備えずに、周波数外挿部１０からの出力信号が周波数内挿部１２に入力される点を除いては、図１に示されるＯＦＤＭ受信装置の構成や動作と同様である。
本例では、図１に示されるＯＦＤＭ受信装置の構成や動作とは異なる点について詳しく説明する。
【００６３】
本例の位相回転量補正部８は、時間内挿部９により推定する対象となるシンボルに対して、前後のシンボルのパイロット信号が有する位相回転量を、当該推定する対象となるシンボルが有する位相回転量と等しい位相回転量へ補正する。これは、例えば図７において、内挿を行う対象シンボルの前後のシンボルが有する異なる位相角φ（＝ｅｊθ）を、推定する対象シンボルが有する位相角φへ補正することになる。
【００６４】
この補正を行うことにより、例えば図３を参照して、時間内挿部９における演算は（式６）のように表される。
（式６）の例では、位相回転量ｅｊθ（０、４）を有するＳＰ（０、４）の伝送路特性を推定するに際して、位相回転量補正部８により、ＳＰ（−２、４）にはｅ−ｊ（θ（−２、４）−θ（０、４））という補正係数を与えており、ＳＰ（１、４）にはｅ−ｊ（θ（１、４）−θ（０、４））という補正係数を与えている。
【００６５】
【数６】
0004463738.tif 000007
【００６６】
本例のような位相回転量の補正を行って、内挿補間を行うと、内挿補間信号としては、受信データキャリア信号と等しい位相回転を有するものが得られる。このため、本例では、周波数内挿部１２の前段で推定伝送路特性の位相回転量を元に戻すような処理は不要となり、すなわち、図１に示されるような位相回転量制御部１１による処理は不要となる。
【００６７】
以上のように、本例のＯＦＤＭ受信装置では、パイロット信号をシンボル方向に内挿補間する前に、推定対象とするシンボルが有する位相回転量と、その前側及び後ろ側のパイロットキャリアのシンボルが有する位相回転量との間における位相回転量の差分を求め、当該前側及び当該後ろ側のシンボルのパイロット信号に対して、求めた差分量の逆回転を与えることで、当該前側及び当該後ろ側のシンボルの位相回転量を、推定対象とするシンボルの位相回転量と等しい位相回転量へ補正する。これにより、例えば、ＳＰを使用して、遅延波が混入するような伝送路環境であっても、時間内挿処理を精度良く乃至正常に行うことができる。
【００６８】
上記した各実施例１〜２に関して、例えば、ＦＦＴ窓の位置を制御する周期を設定することなどにより、ＦＦＴ窓の位置が変化する回数を制限して、位相回転量の補正演算の負担を軽減するようなことも可能である。具体的には、シンボル方向で或るＳＰと隣りのＳＰとの間を内挿補間する場合に、これら２つのＳＰの間の間隔をＬとすると、（Ｌ／２）より大きい周期でＦＦＴ窓の位置を変化させるような制御が可能であり、この構成では、シンボル方向の内挿補間間隔以内に生じる位相回転量の変化の回数が１回以内に抑えられるようにＦＦＴ窓の開始位置の制御周期が定められることになり、例えば（式６）を使用する場合には、位相回転量の補正演算を、内挿補間処理する対象の前側又は後ろ側のシンボルのいずれか片側に限定することが可能である。
【００６９】
また、上記した各実施例１〜２では、例えば受信クロックの分周クロックの信号又は高精度発振器からの入力信号或いはその分周信号を基準タイミング信号として、ＦＦＴ窓の開始位置と基準タイミング信号との間の時間差ｄｓに基づいて位相回転量を算出する構成を示したが、他の構成例として、主波の有効シンボルの開始位置とＦＦＴ窓の開始位置との時間差から位相回転量を算出する構成や、補間対象とするシンボルとその前後のシンボルとの間におけるＦＦＴ窓の開始位置の差から位相回転量を算出する構成などを用いることも可能である。
【００７０】
ここで、本発明に係るＯＦＤＭ受信装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係るＯＦＤＭ受信装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００７１】
【図１】本発明の第１実施例に係るＯＦＤＭ受信装置の構成例を示す図である。
【図２】基準タイミング信号の一例を示す図である。
【図３】時間内挿処理の一例を示す図である。
【図４】本発明の第２実施例に係るＯＦＤＭ受信装置の構成例を示す図である。
【図５】ＯＦＤＭシンボルの波形の一例を示す図である。
【図６】有効シンボルに一致したＦＦＴ窓の一例を示す図である。
【図７】ＦＦＴ窓が有効シンボルに一致した時の位相角の一例を示す図である。
【図８】有効シンボルに対してＫサンプルずれたＦＦＴ窓の一例を示す図である。
【図９】ＦＦＴ窓が有効シンボルに対してＫサンプルずれた時の位相角の一例を示す図である。
【図１０】ＦＦＴ窓が有効シンボルに対して−Ｋサンプルずれた時の位相角スペクトラムの一例を示す図である。
【図１１】反射波が混入した時のＦＦＴ窓の一例を示す図である。
【図１２】反射波が混入した時の位相角スペクトラムの一例を示す図である。
【図１３】パイロットキャリアの配置の一例を示す図である。
【図１４】ガードインターバル期間内の反射波のスペクトラム分布の一例を示す図である。
【図１５】（ａ）はＣＰの一例を示す図であり、（ｂ）はＳＰの一例を示す図である。
【図１６】（ａ）及び（ｂ）はＳＰの時間内挿処理の一例を示す図である。
【図１７】位相角スペクトラムの変調の一例を示す図である。
【図１８】（ａ）及び（ｂ）はＳＰの周波数外挿処理の一例を示す図である。
【図１９】ＯＦＤＭ受信装置の構成例を示す図である。
【符号の説明】
【００７２】
１、２１・・Ａ／Ｄコンバータ、  ２、２２・・窓制御部、  ３、２３・・周波数シフト処理部、  ４、２４・・ＦＦＴ部、  ５、２５・・ＳＰ抽出部、  ６・・基準タイミング発生器、  ７・・位相回転量検出部、  ８・・位相回転量補正部、  ９、２６・・時間内挿部、  １０、２７・・周波数外挿部、  １１・・位相回転量制御部、  １２、２８・・周波数内挿部、  １３、２９・・等化処理部、  １４、３０・・復調部、
【図１】
0004463738.tif 000008
【図２】
0004463738.tif 000009
【図３】
0004463738.tif 000010
【図４】
0004463738.tif 000011
【図５】
0004463738.tif 000012
【図６】
0004463738.tif 000013
【図７】
0004463738.tif 000014
【図８】
0004463738.tif 000015
【図９】
0004463738.tif 000016
【図１０】
0004463738.tif 000017
【図１１】
0004463738.tif 000018
【図１２】
0004463738.tif 000019
【図１３】
0004463738.tif 000020
【図１４】
0004463738.tif 000021
【図１５】
0004463738.tif 000022
【図１６】
0004463738.tif 000023
【図１７】
0004463738.tif 000024
【図１８】
0004463738.tif 000025
【図１９】
0004463738.tif 000026